(57)【要約】【課題】送風効率を向上させる。【解決手段】回転軸を中心に所定方向に回転するファン３０と、ファン３０の下流側に設けられ、ファン３０の軸方向から視て回転軸を中心として放射状に配置された複数の静翼５０ａ、５０ｂとを有する送風装置１００であって、一部の静翼５０ａが、ファン３０の回転により生じる気流に対して、少なくとも軸方向の抵抗がその他の静翼５０ｂに比べて小さくなる形状にした。【選択図】図３
2018044512.tif 000002
【特許請求の範囲】
【請求項１】
回転軸を中心に所定方向に回転するファンと、
前記ファンの下流側に設けられ、前記ファンの軸方向から視て前記回転軸を中心として放射状に配置された複数の静翼とを有する送風装置であって、
一部の前記静翼が、前記ファンの回転により生じる気流に対して、少なくとも軸方向の抵抗がその他の前記静翼に比べて小さくなる形状である送風装置。
【請求項２】
前記一部の静翼における径方向の長さが、前記その他の静翼における径方向の長さよりも短い請求項１記載の送風装置。
【請求項３】
前記一部の静翼の軸方向高さが、前記その他の静翼の軸方向高さよりも低い請求項１又は２記載の送風装置。
【請求項４】
前記静翼の前縁部及び後縁部を結ぶ線分と前記軸方向に沿った線分とのなす角度を翼弦角とした場合に、前記一部の静翼の翼弦角が、前記その他の静翼の翼弦角よりも小さい請求項１乃至３のうち何れか一項に記載の送風装置。
【請求項５】
前記静翼の前縁部における接線方向と前記軸方向とのなす角度を入口角とした場合に、前記一部の静翼の前記入口角が、前記その他の静翼の前記入口角よりも小さい請求項１乃至４のうち何れか一項に記載の送風装置。
【請求項６】
前記軸方向が水平方向と平行に設定してあり、
前記一部の静翼が、前記ファンの軸方向から視て、上側及び下側に位置する静翼である請求項１乃至５のうち何れか一項に記載の送風装置。
【請求項７】
前記一部の静翼が、前記ファンの軸方向から視て、上側及び下側それぞれにおいて、前記ファンの回転軸を中心とした所定の角度範囲内に位置しており、上側の角度範囲をＺ１、下側の角度範囲をＺ２とした場合に、０度≦Ｚ１≦１６０度、０度≦Ｚ２≦１２０度である請求項６記載の送風装置。
【請求項８】
前記ファンの回転軸から前記一部の静翼の径方向外端までの距離をＲａ、前記ファンの回転軸から前記その他の静翼の径方向外端までの距離をＲｂとした場合、Ｒａ／Ｒｂ≧０．２５である請求項１乃至７のうち何れか一項に記載の送風装置。
【請求項９】
前記ファンの軸方向から視て、前記一部の静翼が前記ファンの回転方向側に傾斜している請求項１乃至８のうち何れか一項に記載の送風装置。
【請求項１０】
前記ファンの軸方向から視て、前記その他の静翼が前記ファンの反回転方向側に傾斜している請求項１乃至９のうち何れか一項に記載の送風装置。
【請求項１１】
前記ファンを取り囲むように設けられたベルマウス部と、
前記ベルマウス部の下流側において前記ファンを取り囲むように設けられたディフューザ部とをさらに具備し、
前記各静翼における径方向外側端部が、前記ファンの軸方向と平行に構成されている請求項１乃至１０のうち何れか一項に記載の送風装置。
【請求項１２】
回転軸を中心に所定方向に回転するファンと、
前記ファンの下流側に設けられ、前記ファンの軸方向から視て前記回転軸を中心として放射状に配置された複数の静翼とを有する送風装置であって、
前記ファンの回転により生じる旋回エネルギーを回収する静翼が配置される旋回エネルギー回収領域と、前記ファンの回転により生じる気流に対して、少なくとも軸方向の抵抗が前記旋回エネルギー回収領域に位置する静翼よりも小さい静翼が配置される低抵抗領域とに、前記複数の静翼が配置されており、
前記低抵抗領域の静翼の枚数が、前記旋回エネルギー回収領域の静翼の枚数よりも少ない送風装置。
【請求項１３】
請求項１乃至１２のうち何れか一項に記載の送風装置を備える空気調和機用室外機。
【発明の詳細な説明】
【技術分野】
【０００１】
本発明は、送風装置及びそれを用いた空気調和機用室外機に関するものである。
【背景技術】
【０００２】
従来、空気調和機用室外機に用いられる送風装置としては、軸流ファンと、この軸流ファンの下流側において、軸流ファンの回転軸を中心に放射状に配置された複数の静翼とを備えたものがある。
【０００３】
これらの静翼は、軸流ファンの回転により発生する旋回エネルギーを静圧に変換して軸方向流量を増やすことにより送風効率を向上させるものであり、製造容易のためにいずれも同じ形状にしてある。
【０００４】
ところで、軸流ファンにより発生する気流は周方向において均等であるとは限らず、軸流ファンの上流側における流れの急収縮や、上流側に設けられている電装品箱などの抵抗体や、軸流ファンへ吸い込まれる気流の急激な屈曲等がある場合、その位置での下流側は気流が乱れやすい。
【０００５】
このことから、上述したように静翼がいずれも同じ形状であると、周方向において気流が乱れやすい位置にある静翼は、軸流ファンの回転により発生する気流の旋回速度成分を回収することができないどころか、軸方向に流れる空気の抵抗となって、むしろ送風効率を低下させることになる。
【先行技術文献】
【特許文献】
【０００６】
【特許文献１】特開２０１５−１７５３０４公報
【発明の概要】
【発明が解決しようとする課題】
【０００７】
そこで、本願発明は、上記問題点を解決すべくなされたものであって、従来よりも送風効率を向上させることが可能な送風装置及びそれを用いた空気調和機用室外機を提出することを主たる課題とするものである。
【課題を解決するための手段】
【０００８】
すなわち、本願発明に係る送風装置は、回転軸を中心に所定方向に回転するファンと、前記ファンの下流側に設けられ、前記ファンの軸方向から視て前記回転軸を中心として放射状に配置された複数の静翼とを有する送風装置であって、一部の前記静翼が、前記ファンの回転により生じる気流に対して、少なくとも軸方向の抵抗がその他の前記静翼よりも小さくなる形状であることを特徴とするものである。
以下、前記一部の静翼を低抵抗静翼ともいい、前記その他の静翼を既存静翼ともいう。
【０００９】
このように構成された送風装置であれば、周方向において気流が乱れやすい位置にある静翼の軸方向の抵抗を小さくすることにより、この位置にある静翼による損失を抑制し、その他の位置にある静翼によって気流の旋回速度成分を回収することができる。
これにより、従来に比べて送風効率を向上させることができ、低消費電力化や送風騒音の低減を図れる。
さらに、室外機の吹出側に例えばダクトなどの機外静圧が設けられている場合でも、本発明に係る送風装置から排気される風量は従来よりも増大するので、失速耐力を向上させることができる。
そのうえ、気流の旋回速度成分を従来よりも回収することができるので、気流の直進性を向上させることができ、送風装置から排気された空気が再び送風装置に吸入されてしまう、いわゆるショートサーキットを低減させることができる。
【００１０】
抵抗を小さくするための具体的な構成としては、前記静翼の前縁部における接線方向と前記軸方向とのなす角度を入口角とした場合に、前記低抵抗静翼の前記入口角が、前記既存静翼の前記入口角よりも小さい構成が挙げられる。
【００１１】
また、抵抗を小さくするための別の構成としては、前記低抵抗静翼における径方向の長さが、前記既存静翼における径方向の長さよりも短い構成が挙げられる。
【００１２】
さらに、抵抗を小さくするための別の構成としては、前記低抵抗静翼の軸方向高さが、前記既存静翼の軸方向高さよりも低い構成が挙げられる。
【００１３】
加えて、抵抗を小さくするための別の構成としては、前記静翼の前縁部及び後縁部を結ぶ線分と前記軸方向に沿った線分とのなす角度を翼弦角とした場合に、前記低抵抗静翼の翼弦角が、前記既存静翼の翼弦角よりも小さい構成が挙げられる。
【００１４】
本発明に係る送風装置が、横吹きタイプの空気調和機用室外機に用いられた場合に、本発明の効果を顕著に発揮するためには、前記軸方向が水平方向と平行に設定してあり、前記低抵抗静翼が、前記ファンの軸方向から視て、上側及び下側に位置する静翼であることが好ましい。
【００１５】
周方向における低抵抗静翼の配置としては、前記低抵抗静翼が、前記ファンの軸方向から視て、上側及び下側それぞれにおいて、前記ファンの回転軸を中心とした所定の角度範囲内に位置しており、上側の角度範囲をＺ１、下側の角度範囲をＺ２とした場合に、０度≦Ｚ１≦１６０度、０度≦Ｚ２≦１２０度である構成が挙げられる。
【００１６】
より具体的な実施態様としては、前記ファンの回転軸から前記低抵抗静翼の径方向外端までの距離をＲａ、前記ファンの回転軸から前記既存静翼の径方向外端までの距離をＲｂとした場合、Ｒａ／Ｒｂ≧０．２５である構成が挙げられる。
【００１７】
前記ファンの軸方向から視て、前記低抵抗静翼が前記ファンの回転方向側に傾斜していることが好ましい。
このような構成であれば、低抵抗静翼の径方向外側をさらに低抵抗化させることができる。
【００１８】
前記ファンの軸方向から視て、前記既存静翼が前記ファンの反回転方向側に傾斜していることが好ましい。
このような構成であれば、既存静翼による旋回速度成分の回収を高効率化することができる。
【００１９】
前記ファンを取り囲むように設けられたベルマウス部と、前記ベルマウス部の下流側において前記ファンを取り囲むように設けられたディフューザ部とをさらに具備し、前記各静翼における径方向外側端部が、前記ファンの軸方向と平行に構成されていることが好ましい。
このような構成であれば、ディフューザ部の内側に静翼が位置していたとしても、静翼の径方向外側端部がファンの軸方向と平行に構成されているので、いわゆるアンダーカットと呼ばれる部分が生じず、ディフューザ及び静翼を一体成型することができる。
【００２０】
また、本発明に係る送風装置は、回転軸を中心に所定方向に回転するファンと、前記ファンの下流側に設けられ、前記ファンの軸方向から視て前記回転軸を中心として放射状に配置された複数の静翼とを有する送風装置であって、前記ファンの回転により生じる旋回エネルギーを回収する静翼が配置される旋回エネルギー回収領域と、前記ファンの回転により生じる気流に対して、少なくとも軸方向の抵抗が前記旋回エネルギー回収領域に位置する静翼よりも小さい静翼が配置される低抵抗領域とに、前記複数の静翼が配置されており、前記低抵抗領域の静翼の枚数が、前記旋回エネルギー回収領域の静翼の枚数よりも少ないことを特徴とするものである。
【００２１】
このような構成であれば、気流が乱れやすい低抵抗領域では静翼による抵抗を小さくすることで、この位置における損失を抑制し、それ以外の旋回エネルギー回収領域では気流の旋回速度成分を回収することができ、送風効率を向上させることができる。
これにより、従来に比べて送風効率を向上させることができ、低消費電力化や送風騒音の低減を図れる。
【００２２】
また、本発明に係る空気調和機用室外機は、上述した送風装置を備えることを特徴とするものであり、このような空気調和機用室外機であれば、上述した送風装置と同様の作用効果を得ることができる。
【発明の効果】
【００２３】
このように構成した本発明によれば、従来よりも送風効率を向上させることができる。
【図面の簡単な説明】
【００２４】
【図１】本実施形態の空気調和機用室外機の構成を示す概略図。
【図２】同実施形態の空気調和機用室外機の断面を示す断面図。
【図３】同実施形態の静翼の構成を示す概略的に示す斜視図。
【図４】同実施形態の静翼の構成を示す概略的に示す平面図。
【図５】同実施形態の静翼の断面を示す断面図。
【図６】その他の実施形態における静翼の構成を概略的に示す斜視図。
【図７】その他の実施形態における静翼の断面を示す断面図。
【図８】その他の実施形態における静翼の構成を概略的に示す平面図。
【図９】その他の実施形態における静翼の構成を概略的に示す平面図。
【発明を実施するための形態】
【００２５】
以下に本発明の一実施形態について図面を参照して説明する。
【００２６】
本実施形態に係る送風装置１００は、空気調和機用室外機２００（以下、単に室外機２００ともいう）に用いられる軸流ファンの一種である。
【００２７】
この室外機２００は、図１及び図２に示すように、底板、側周板および天板からなる概略直方体形状のケーシング１０と、該ケーシング１０の側面及び背面に配置された熱交換器２０と、ケーシング１０の前面に配置された前記送風装置１００とを具備し、この送風装置１００により形成された空気流によって前記ケーシング１０の側面及び背面から内部へ空気を流入させ、前記熱交換器２０に該空気を触れさせた後、前方へ排気するいわゆる横吹きタイプのものである。なお、このケーシング１０には、熱交換器２０の他、図示しない種々の電装機器等が収容されている。
【００２８】
次に、前記送風装置１００について具体的に説明する。
この送風装置１００は、図２に示すように、回転軸Ｃを中心に所定方向に回転するプロペラファン３０及びこれを回転駆動する図示しないモータと、該プロペラファン３０の周囲に配置された筒状をなす筒状成型体４０と、プロペラファン３０の下流側に設けられた複数の静翼５０とを具備したものであり、軸方向を水平方向と平行に設定してある。
【００２９】
筒状成型体４０は、プロペラファン３０の軸方向から視て外縁輪郭形状が円形状をなすとともに、軸方向に貫通孔を設けたものであり、この貫通孔の内周面にベルマウス部４１及びディフューザ部４２が一体に形成してある。
【００３０】
ベルマウス部４１は、前記筒状成型体４０の内周面のうち、プロペラファン３０の外周端のさらに外周に隙間を有して設けられた真円筒状をなすベルマウスダクト４１１と、該ベルマウスダクト４１１の上流側に連設した喇叭状をなす開口部（ベルマウス）４１２とからなるものである。
【００３１】
ディフューザ部４２は、前記筒状成型体４０の内周面のうち、ベルマウス部４１の下流端から下流側に連続する内周面に形成されたもので、ここでは、該内周面の略全面を、下流側に向かうに連れ径方向外側に向かうように傾斜させた傾斜面４２１としてある。
【００３２】
静翼５０は、図３に示すように、前記プロペラファン３０の回転により生じる旋回エネルギーを静圧に変換して軸方向流量を増やす翼面５１を有したものである。ここでは、概略円筒状のハブＨに複数の静翼５０が設けられており、これらの静翼５０は前記プロペラファン３０の軸方向から視て回転軸Ｃを中心として放射状に配置されている。
【００３３】
そして、これら複数の静翼５０のうち、一部の静翼５０ａは、前記プロペラファン３０の回転により生じる気流に対する抵抗の低減を図るべく、その他の静翼５０ｂと異形状に設計されている。より詳細には、前記一部の静翼５０ａは、前記プロペラファン３０の回転により生じる気流に対して少なくとも軸方向の抵抗が、その他の静翼５０ｂに比べて小さくなる形状に形成されている。以下、各静翼５０のうち、抵抗を小さくした前記一部の静翼５０ａを低抵抗静翼５０ａと呼び、前記その他の静翼５０ｂを既存静翼５０ｂと呼ぶ。
【００３４】
本実施形態では、図１に示すように、室外機１００をプロペラファン３０の軸方向から視て（正面から視て）、上側及び下側それぞれに複数の低抵抗静翼５０ａが位置しており、左側及び右側それぞれに複数の既存静翼５０ｂが位置している。
【００３５】
低抵抗静翼５０ａ及び既存静翼５０ｂを上記の配置にしているのは、本実施形態のように横吹きタイプの室外機１００では、プロペラファン３０の回転により生じる旋回流が、プロペラファン３０の下流側において、軸方向から視た上側及び下側で乱れやすいからである。
この原因の一つとしては、図２に示すように、軸方向から視た上側及び下側では、プロペラファン３０に流れ込む空気の急収縮等が起きていることが挙げられる。
【００３６】
また、プロペラファン３０の下流側において気流が乱れる別の原因としては、ケーシング１０に収容されている電装機器等がプロペラファン３０に流れ込む空気の障害となっていることも挙げられる。
【００３７】
このように、プロペラファン３０の下流側において気流の乱れが生じる理由は種々あり、室外機１０のタイプやケーシング内の電装機器等の配置などによって、乱れる位置は異なると考えられることから、低抵抗静翼５０ａ及び既存静翼５０ｂの形状や配置や枚数は、適宜変更して構わない。
【００３８】
本実施形態では、図４に示すように、プロペラファン３０の回転軸Ｃを中心に上側及び下側それぞれにおいて所定の角度範囲Ｚ１、Ｚ２内にある静翼５０を低抵抗静翼５０ａとしており、その他の静翼５０を既存静翼５０ｂとしている。ここでは、上側の角度範囲Ｚ１と下側の角度範囲Ｚ２とを異なる範囲としているが、それぞれの角度範囲Ｚ１、Ｚ２を同じ値に設定しても良い。なお、具体的な角度範囲Ｚ１、Ｚ２としては０度≦Ｚ１≦１６０度、０度≦Ｚ２≦１２０度であることが好ましく、ここではＺ１を１２０度、Ｚ２を７５度にしてある。
【００３９】
また、図４に示すように、回転軸Ｃから低抵抗静翼５０ａの径方向外端までの距離をＲａ、回転軸Ｃから既存静翼５０ｂの径方向外端までの距離をＲｂとした場合、Ｒａ／Ｒｂ≧０．２５となることが好ましく、ここではＲａ／Ｒｂを０．７７にしてある。
【００４０】
なお、上述したように、室外機２００の構成などによってプロペラファン３０の下流側において気流が乱れやすい位置は異なることから、角度範囲Ｚ１、Ｚ２やＲａ／Ｒｂは適宜変更して構わない。
【００４１】
次に、既存静翼５０ｂについて説明する。
既存静翼５０ｂは、プロペラファン３０の回転により生じる旋回エネルギーを回収できるように設計されたものであり、図３及び図４に示すように、翼面５１がプロペラファン３０の吹出し気流に沿って（プロペラファン３０の回転方向側に）湾曲した形状をなしている。
【００４２】
ここで、図５に示すように、径方向内端から径方向外端までのある位置で静翼５０を軸方向に沿った円筒面で切った断面において、前縁部５２及び後縁部５３を結ぶ線分Ｌ１と軸方向に沿った線分Ｌ２とのなす角度を翼弦角θと定義する。このとき、本実施形態の既存静翼５０ｂは、前縁部５２と筒状成型体４０とを一体に成型するために、ディフューザ４２と重なる部分において翼弦角θが０度となり、軸方向と平行になるようにしている。
【００４３】
一方、低抵抗静翼５０ａは、プロペラファン３０の回転により生じる気流に対して、少なくとも軸方向の抵抗が既存静翼５０ｂよりも小さくなる形状に構成されている。
【００４４】
本実施形態の低抵抗静翼５０ａは、径方向内端から径方向外端までの寸法、すなわち径方向の長さ寸法（以下、径方向長さという）が既存静翼５０ｂよりも短いものである。かかる構成により、プロペラファン３０による気流に対する少なくとも軸方向の抵抗は、低抵抗静翼５０ａの方が既存静翼５０ｂよりも小さくなる。
【００４５】
なお、低抵抗静翼５０ａの形状としては、上述した形状に限ったものではなく、既存静翼５０ｂよりも高さを低くしたり、既存静翼５０ｂよりも翼弦角θを小さくしたり、翼長を短くしたりしても良い。また、プロペラファン３０の回転により生じる気流が乱れやすい位置にある低抵抗静翼５０ａを既存静翼５０ｂよりも少ない枚数にしても良い。かかる構成により、プロペラファン３０による旋回エネルギーを効率的に静圧に変換して軸方向流量を増加させることができる。
【００４６】
このように構成された本実施形態の送風装置１００によれば、周方向において気流が乱れやすく旋回エネルギーの回収が困難であった軸方向から視た正面視上側及び下側に位置する低抵抗静翼５０ａを、その他の位置にある既存静翼５０ｂよりも、軸方向の抵抗が小さくなるように構成しているので、静翼全体として、従来よりも損失を抑制するとともに、旋回エネルギー回収効率を向上させることができる。
これにより、従来に比べて送風効率を向上させることができ、低消費電力化や送風騒音の低減を図れる。
【００４７】
さらに、室外機１００の吹出側に例えばダクトなどの機外静圧が設けられている場合でも、送風装置１００から排気される風量を増大させることができるので、失速耐力を向上させることができる。
【００４８】
そのうえ、気流の旋回速度成分を従来よりも回収することができるので、気流の直進性を向上させることができ、送風装置１００から排気された空気が再び送風装置１００に吸入されてしまう、いわゆるショートサーキットを低減させることができる。
【００４９】
また、既存静翼５０ｂの外端における翼弦角θが０度となるようにし、既存静翼５０ｂの径方向外端部を軸方向と平行に形成しているので、いわゆるアンダーカットと呼ばれる部分が生じず、ディフューザ４２と静翼５０とを一体成型することができ、ベルマウス４１、ディフューザ４２、及び静翼５０の一体成型が可能となる。
【００５０】
なお、本発明は前記実施形態に限られるものではない。
【００５１】
例えば、低抵抗静翼５０ａの形状は、既存静翼５０ｂよりも抵抗が小さい形状であれば前記実施形態には限られず、例えば図６に示すように、低抵抗静翼５０ａの高さを径方向内側から外側に向かって徐々に小さくなるようにしても良い。
この場合、低抵抗静翼５０ａ及び既存静翼５０ｂの全てが、径方向の外端部において軸方向と平行に形成すれば、前記実施形態と同様に、ディフューザ４２と各静翼５０とを一体成型することができる。
【００５２】
また、例えば同半径や径方向外側端部で比較して、低抵抗静翼５０ａの翼弦角θを既存静翼５０ｂよりも小さくなるようにしても構わない。
【００５３】
さらに、図７に示すように、静翼５０の前縁部５２における接線Ｌ３と軸方向に沿った線分Ｌ２とのなす角度を入口角αとした場合に、低抵抗静翼５０ａの入口角αを既存静翼５０ｂの入口角αよりも小さくしても良い。
【００５４】
すなわち、径方向長さ、高さ、翼弦角θ、翼枚数、及び入口角αの１つ又は複数をパラメータとして、低抵抗静翼５０ａの抵抗が既存静翼５０ｂの抵抗よりも抵抗が小さくなるように、各静翼５０を構成すれば良い。
【００５５】
前記実施形態の既存静翼５０ｂは、プロペラファン３０の回転方向Ｒ側に傾斜した形状であったが、図８に示すように、既存静翼５０ｂは、プロペラファン３０の反回転方向側に傾斜させた形状であっても良い。
このように構成することにより、気流が乱れにくい位置（ここでは軸方向から視た左側及び右側）にある既存静翼５０ｂによる旋回速度成分の回収を高効率化させることができる。
【００５６】
一方、低抵抗静翼５０ａは、プロペラファン３０による気流に対する少なくとも軸方向の抵抗をより低減すべく、プロペラファン３０の回転方向Ｒ側に傾斜した形状であっても良い。特に、軸方向から視た上側及び下側に位置する低抵抗静翼５０ａの外周側をプロペラファン３０の回転方向Ｒ側に傾斜させることが望ましい。
なお、低抵抗静翼５０ａによって内周側における旋回成分の回収が見込まれる場合は、図８に示すように、低抵抗静翼５０ａをプロペラファン３０の反回転方向側に傾斜させることで、送風効率の向上を図れる。
【００５７】
また、前記実施形態では、既存静翼５０ｂを径方向内側から外側に向かって高さ及び翼弦角θが徐々に小さくなる形状にしていたが、例えば既存静翼５０ｂの高さや翼弦角θを外周側で大きくするなど、旋回成分を効率良く回収できる形状であれば適宜変更して構わない。既存静翼５０ｂの形状や配置や枚数などを変更した場合は、その変更に応じて、低抵抗静翼５０ａを、プロペラファン３０の回転により生じる気流に対する少なくとも軸方向の抵抗が既存静翼５０ｂよりも小さくなるように設計すれば良い。
【００５８】
さらに、図９に示すように、送風装置１００としては、プロペラファンの回転により生じる旋回エネルギーを回収する静翼が配置される旋回エネルギー回収領域と、プロペラファンの回転により生じる気流に対して、少なくとも軸方向の抵抗が旋回エネルギー回収領域に位置する静翼よりも小さい静翼が配置される低抵抗領域とに、複数の静翼が配置されており、前記低抵抗領域の静翼の枚数が、前記旋回エネルギー回収領域の静翼の枚数よりも少ないものであっても良い。
【００５９】
図９に示される実施態様では、旋回エネルギー回収領域は、内側全周と、外側における周方向の一部（ここでは、軸方向から視た左側及び右側）であり、低抵抗領域は、外側における周方向のその他の部分（ここでは、軸方向から視た上側及び下側）としているが、これらの領域は適宜変更して構わない。
【００６０】
具体的にこの送風装置１００は、例えば径方向内側から順に、第１静翼群５０Ａ、第２静翼群５０Ｂ、及び第３静翼群５０Ｃを有しており、第３静翼群Ｃの流れの乱れが大きい地点において、枚数が最も少なくなるように構成されている。この第３静翼群Ｃにおいて、旋回エネルギー回収領域では静翼５０が６枚、低抵抗領域では静翼５０が０枚である。なお、機械的強度を確保すべく、旋回エネルギー回収領域における枚数よりも少なければ、低抵抗領域に静翼５０を複数枚設けても良い。
【００６１】
このように構成することにより、気流が乱れやすい低抵抗領域では静翼５０による抵抗を小さくすることで、この位置における損失を抑制し、それ以外の旋回エネルギー回収領域では気流の旋回速度成分を回収することができ、送風効率を向上させることができる。
なお、静翼群の数は３つに限られず、２つの静翼群を有する送風装置や４つ以上の静翼群を有する送風装置であっても良い。
【００６２】
また、前記実施形態では、室外機２００の一例として１つの送風装置１００を備えた横吹きタイプのものを説明したが、室外機２００は、複数の送風装置１００を備えていても良いし、送風装置１００によって上方に排気する縦吹きタイプのものであっても良い。
【００６３】
その他、本発明は前記実施形態に限られず、その趣旨を逸脱しない範囲で種々の変形が可能であるのは言うまでもない。
【符号の説明】
【００６４】
２００・・・室外機
１００・・・送風装置
３０  ・・・プロペラファン
５０ａ・・・低抵抗静翼
５０ｂ・・・既存静翼
【図１】
2018044512.tif 000003
【図２】
2018044512.tif 000004
【図３】
2018044512.tif 000005
【図４】
2018044512.tif 000006
【図５】
2018044512.tif 000007
【図６】
2018044512.tif 000008
【図７】
2018044512.tif 000009
【図８】
2018044512.tif 000010
【図９】
2018044512.tif 000011